(57)【要約】【課題】主に家庭で運動するために使用するステッパーにして、上下足踏み運動と、上下足踏み運動と上半身をひねるツイスト運動とを同時に行うことが可能なツイストステッパーを提供する。【解決手段】一対の対称的なストッパー付固定部の中央部に所定の角度だけ回動し、且容易に離脱しないようにペダルを取着のペダル固定部を、前記ストッパー付固定部の上方に軸着すると共に、前記ペダル固定部と前記ストッパー付固定部を接続体を介して固着したり、あるいは前記接続体を離脱して前記ペダル固定部を所定角度だけ回動せしめた。【選択図】    図１
0003113950.tif 000002
【実用新案登録請求の範囲】
【請求項１】
所定の間隔をあけて対向する脚部間を接着する接続部の左右両側部に、直角状にシリンダーと支承アームと接続杆の一端部を接続し、且前記シリンダーの他端部と前記支承アームと前記接続杆の他端部を夫々接続し、前記対称的な一対の支承アームの高さを調節子によって調節する調節杆を前記一対の支承アームに接続し、前記一対の支承アームの他端部にストッパー付固定部を対称的に固着し、前記一対の対称的なストッパー付固定部にペダルを夫々取着せしめるツイストステッパーにおいて、
前記一対の対称的なストッパー付固定部の中央部に所定の角度だけ回動し、且容易に離脱しないようにペダルを取着のペダル固定部を、前記ストッパー付固定部の上方に軸着すると共に、前記ペダル固定部と前記ストッパー付固定部を接続体を介して固着したり、あるいは前記接続体を離脱して前記ペダル固定部を所定角度だけ回動せしめることを特徴とするツイストステッパー。
【請求項２】
前記ペダル固定部は、前記ストッパー付固定部に対し回転する角度を約３０度〜４０度とすることを特徴とする請求項１記載のツイストステッパー。
【請求項３】
前記ストッパー付固定部と前記ペダル固定部との固定手段は、前記ストッパー付固定部に軸着する軸着部と前記ストッパー付固定部の一端部との間に貫通孔を形成し、且前記ストッパー付固定部と重合する前記ペダル固定部の底面部に前記貫通孔と合致する孔部を形成し、前記ストッパー付固定部と前記ペダル固定部とを重合して前記貫通孔と前記孔部に前記接続体を螺入して接続することを特徴とする請求項１又は請求項２記載のツイストステッパー。
【考案の詳細な説明】
【技術分野】
【０００１】
本考案は、主として家庭で運動するために使用するステッパーにして、上下足踏み運動と、前記上下足踏み運動と上半身をひねるツイスト運動とを同時に行うことが可能なツイストステッパーの分野に関するものである。
【背景技術】
【０００２】
従来の足踏み運動機は、左右一対のペダル板上に乗ってシリンダーの付勢力に抗しながら前記ペダル板を交互に上下方向に足踏み運動をするものであった。
【０００３】
さらに前記足踏み運動機の一対のペダル板が、交互に上下方向に足踏みする運動だけではエクササイズが十分でないとして、前記一対のペダル板を斜向状態にのみスイングして腿部、臀部のエクササイズができる斜向スイングステッパーがある。
【特許文献１】実用新案登録第３１０８４１０号
【考案の開示】
【考案が解決しようとする課題】
【０００４】
本考案が解決しようとする課題は、使用者の好みに応じて本考案のツイストステッパーを構成する一対のペダル板を、ペダル板を載置する固定部の中心部を機軸にして所定の角度だけ回動ができるようにして、上下足踏み運動のステッパーと、さらに足踏み部分のペダル板を夫々左右に動かすツイスト機能を付加したエクササイズができるツイストステッパーを開発した。
【０００５】
さらに本考案が解決しようとする課題は、使用者が前記のようなひねるツイスト運動を中止して、いわゆる歩くように踏み込むことで効果的な有酸素運動をしたいときは、前記ペダルを固定する固定部の回動を停止して切換え可能が簡単な手段で行うことができるようにした。
【課題を解決するための手段】
【０００６】
本考案の課題を解決する手段としての請求項１記載の考案は、所定の間隔をあけて対向する脚部間を接着する接続部の左右両側部に、直角状にシリンダーと支承アームと接続杆の一端部を接続し、且前記シリンダーの他端部と前記支承アームの他端部を夫々接続し、前記対称的な一対の支承アームの高さを調節子によって調節する調節杆を前記一対の支承アームに接続し、前記一対の支承アームの他端部にストッパー付固定部を対称的に固着し、前記一対の対称的なストッパー付固定部にペダルを夫々取着せしめるツイストステッパーにおいて、
前記一対の対称的なストッパー付固定部の中央部に所定の角度だけ回動し、且容易に離脱しないようにペダルを取着のペダル固定部を、前記ストッパー付固定部の上方に軸着すると共に、前記ペダル固定部と前記ストッパー付固定部を接続体を介して固着したり、あるいは前記接続体を離脱して前記ペダル固定部を所定角度だけ回動せしめることを特徴とするツイストステッパーである。
【０００７】
さらに本考案の請求項２記載の考案は、前記ペダル固定部は、前記ストッパー付固定部に対し回転する角度を約３０度〜４０度とすることを特徴とするツイストステッパーである。
【０００８】
また本考案の請求項３記載の考案は、前記ストッパー付固定部に前記ペダル固定部との固定手段は、前記ストッパー付固定部を軸着する軸着部と前記ストッパー付固定部の一端部との間に貫通孔を形成し、且前記ストッパー付固定部と重合する前記ペダル固定部の底面部に前記貫通孔と合致する孔部を形成し、前記ストッパー付固定部と前記ペダル固定部とを重合して前記貫通孔と前記孔部に前記接続体を螺入して接続することを特徴とするツイストステッパーである。
【考案の効果】
【０００９】
請求項１記載考案は、所定の間隔をあけて対向する脚部間を接着する接続部の左右両側部に、直角状にシリンダーと支承アームの一端部を接続し、且前記シリンダーの他端部と前記支承アームと接続杆の他端部を夫々接続し、前記対称的な一対の支承アームの高さを調節子によって調節する調節杆を前記一対の支承アームに接続し、前記一対の支承アームの他端部にストッパー付固定部を対称的に固着し、前記一対の対称的なストッパー付固定部にペダルを夫々取着せしめるツイストステッパーにおいて、前記一対の対称的なストッパー付固定部の中央部に所定の角度だけ回動し、且容易に離脱しないようにペダルを取着のペダル固定部を、前記ストッパー付固定部の上方に軸着すると共に、前記ペダル固定部と前記ストッパー付固定部を接続体を介して固着したり、あるいは前記接続体を離脱して前記ペダル固定部を所定角度だけ回動せしめるツイストステッパーなので、前記接続体を緊締することによってシリンダーの付勢力に抗して左右両サイドのペダルを左右に回動させることによって、足踏み運動をしながら、使用者の腰部にひねり運動を容易に加えることができると共に、前記した上下足踏み運動とツイスト運動とによって足の筋肉を鍛え、さらにウエストや足等の気になる下半身を著しく引締める効果を有している。
【００１０】
さらに本考案は、前記接続体を緊締すれば、上下方にゆっくり交互に足踏み運動のみを行うことができる利点がある。
【００１１】
また本考案は、前記接続体を着脱する極めてシンプルな構造なので、製作費は安価である。
【００１２】
さらに請求項２記載の考案は、前記ペダル固定部が、前記ストッパー付固定部に対し回転する角度を約３０度〜４０度とするツイストステッパーなので、請求項１記載の考案の効果と同じ効果を有している。
【００１３】
請求項３記載の考案は、前記ストッパー付固定部と前記ペダル固定部との固定手段は、前記ストッパー付固定部に軸着する軸着部と前記ストッパー付固定部の一端部との間に貫通孔を形成し、且前記ストッパー付固定部と重合する前記ペダル固定部の底面部に前記貫通孔と合致する孔部を形成し、前記ストッパー付固定部と前記ペダル固定部とを重合して前記貫通孔と前記孔部に前記接続体を螺入して接続するツイストステッパーなので、請求項１又は請求項２記載の考案の効果と同じ効果を有している。
【考案を実施するための最良の形態】
【００１４】
本考案の請求項１〜３記載のツイストステッパーに係る実施の形態は共通しているので、図面にもとづき以下のとおり一括して説明する。
【００１５】
本考案のツイストステッパーＡは、以下の構成からなっている。
【００１６】
本考案は中央部２が膨出する折曲状の脚部１、１ａを２個使用する。前記脚部１、１ａを組立てるには、中央部２、２ａを対向させ、且前記両脚部１、１ａの両端部４、５、６、７が同一面になるように、側面よりみた形状が
0003113950.tif 000003
形状の接続部３を介して熔着する。
【００１７】
８は本考案のツイストステッパーＡを構成する一方のシリンダーであり、８ａは他方のシリンダーである。１３は前記接続部３を構成する前側壁部１０と後側壁部１１との間に並列状に跨設した下方軸部１３である。
【００１８】
さらに本考案は、前記下方軸部１３と同様に若干の間隔をおき並列状に前後側壁部１０、１１の間に跨設した下方軸部１３ａを設ける。
【００１９】
前記２個のシリンダー８、８ａの下端部９、９ａは前記下方軸部１３、１３ａに対し直角状に左右両サイドに延設状態にして、且回動自在に前記下方軸杆１３、１３ａに接続する。
【００２０】
１４は前記接続部３を構成する前側壁部１０及び後側壁部１１間の上方部位に並列状に跨設した一方の上方軸部である。さらに本考案は、前記前側及び後側壁部１０、１１の間の上方部位に前記一方の上方軸部１４と並列して他方の上方軸部１４ａを跨設状に取着する。
【００２１】
１５は前記上方軸部１４に対し直角状に下方端部を接続する細長形状の一方の支承アームである。
【００２２】
１５ａは前記支承アーム１５と同様に前記上方軸部１４に対し直角状に下方端部を接続する細長形状の他方の支承アームである。
【００２３】
１６は前記一方支承アーム１５が下方端部を支点にして回動するのを調節する一方の調節杆である。
【００２４】
１６ａも前記一方の調節杆１６と同様に他方の支承アーム１５ａの下方端部を支点に回動するのを調節するための他方の調節杆である。
【００２５】
そして前面両調節杆１６、１６ａは夫々の前方端部が重合し、且前記前方端部に高低差を調節する調節孔１７を接続可能にして夫々形成する。
【００２６】
前記両調節杆１６、１６ａの後方端部は、両支承アーム１５、１５ａに一端部が接着の脚部１８、１８ａと接続具１８ｃ、１８ｄを介して接続する。
【００２７】
前記両調節杆１６、１６ａの所定位置の調節孔１７に調節子１８ｅを挿込み螺着し、両調節杆１６、１６ａを接続する。
【００２８】
１９は一方のシリンダー８と一方の支承アーム１５と平行状に配列され、一端部が前記下方軸部１３に接続せしめる下方接続杆である。この下方接続杆１９の上方端部は上方接続杆２０と接続する。１９ｃは前記接続杆１９と前記接続杆２０とを接続する接続具である。
【００２９】
さらに前記上方接続杆２０の上方端部はストッパー２１付固定部２２の裏面部に固着する。
【００３０】
さらに前記ストッパー付固定部２２の裏面部に上方端部が固着した上方接続杆２０より所定の幅員を設けた間隙部２２ｃを有する前記固定部２２の裏面部より下方に突出する支持部２２ｄを設け、前記間隙部２２ｃ内に一方の支承アーム１５の上端部を配置し、前記支持部２２ｄと前記一方の支承アーム１５の上端部と前記固定部２２の裏面部に固着の前記上方接続杆２０とが接続し、且回動すべく接続杆２３を介して接続する。さらに前記一方のシリンダー８の上方部と前記一方の支承アーム１５の上方部は、前記支承アーム１５の裏面部に接着する接続杆２４ａ付接続部２４を介して接続する。
【００３１】
上記の組立てによって一方のシリンダー８と一方の支承アーム１５と下方接続杆１９と接続する上方接続杆２０とが一体となって接続される。
【００３２】
さらに本考案のツイストステッパーＡは、前記構成部材のシリンダー８、支承アーム１５及び上下接続杆１９、２０と対称的構成部材が下記のように組立てられる。
【００３３】
即ち前記他方シリンダー８ａは、下端部９ａが前記下方軸部１３ａに対し直角状に、しかも回動自在に接続される。
【００３４】
さらに他方の支承アーム１５ａも下方端部を上方軸部１４ａに対し直角状に延設せしめ接続する。
【００３５】
前記一方の支承アーム１５と他方の支承アーム１５ａとが、調節杆１６、１６ａに設けた調節孔１７に調節子１８ｅを挿込み螺着すると接続する点についての説明は上述と同じなのでその説明を省略する。
【００３６】
１９ａは前述した一方の下方接続杆１９と同形状の他方の下方接続杆である。この他方の下方接続杆１９ａは、他方のシリンダー８ａと他方の支承アーム１５ａと平行状に配列し、一端部を前記下方軸杆１３ａに接続する。
【００３７】
そして前記他方の下方接続杆１９ａの上方端部は上方接続杆２０と同形状の他方の上方接続杆２０ａと接続する。
【００３８】
さらに前記他方の上方接続杆２０ａの上方端部はストッパー２１ａ付固定部２２ａと下記の構成部材を介して固着する。
【００３９】
即ち前記ストッパー２１ａ付固定部２２ａの裏面部に上方端部が固着した上方接続杆２０ａより所定の幅員を有する間隙部２２ｆを有する前記固定部２２ａの裏面部より下方に突出する支持部２２ｅを設け、前記間隙部２２ｆ内に他方の支承アーム１５ａの上端部を配置し、前記支持部２２ｅと前記他方の支承アーム１５ａの上端部と前記固定部２２ａの裏面部に固着の上方接続杆２０ａとが接続し、且前記支承アーム１５ａと上方接続杆２０ａが回動すべく接続杆２３ａを介して接続する。
【００４０】
さらに前記他方のシリンダー８ａの上方部と前記他方の支承アーム１５ａの上方部は、前記支承アーム１５ａの裏面部に接続する接続杆２４ａ付接続部２４ｂを介して回動するように接続する。
【００４１】
上記の組立てによって他方のシリンダー８ａと他方の支承アーム１５ａと下方接続杆１９と接続する上方接続杆２０ａとが一体となって接続される。
【００４２】
さらに固着するストッパー付固定部２２、２２ａの中央部に、中空状にして、且内側周面部が所定の長さだけ切欠した細長形状の窓孔ｍを形成する中空状の軸杆１２を突設し固着する。この窓孔ｍは突設状態の軸杆１２の縦軸方向に対し直角状に形成されている。
【００４３】
前記軸杆１２は、窓孔ｍが対向するように突設する。
【００４４】
前記固定部２２、２２ａには、固定部２２、２２ａの中央部に突設固着せしめた軸杆１２と前記固定部２２、２２ａの端部との間にして、しかも底面部より上面部にかけて底面部に螺孔２５を上面部に貫通孔２５ａ形成する。
【００４５】
２６、２６ａは上方部にペダルｐ、ｐを固着せしめたペダル固定部であり、前記固定部２２、２２ａと稍同形状の断面が四辺形状の細長形状である。さらに中空状をしている。
【００４６】
前記ペダル固定部２６、２６ａの中央部には、前記窓孔ｍ付軸杆１２が貫通するパイプ体２８を嵌着せしめる孔部２７を形成する。前記パイプ体２８は前記孔部２７に嵌挿しペダル固定部２６、２６ａの高さより若干高く、下方部が前記ペダル固定部２６、２６ａの底面部２９より若干飛出する長さを有する。
【００４７】
そして前記パイプ体２８の所定個所例えば中央部位より若干下方に位置する側壁部に対向する螺孔（図面上図示していない。）を穿設する。
【００４８】
３０は前記ペダル固定部２６、２６ａの内側面部３１に穿設した小孔である。３２はネジである。３３は前記固定部２６、２６ａの底面部３４に設けた小孔であり、この小孔３３は前記貫通孔２５ａと重合すると合致する位置に形成されている。
【００４９】
前記ストッパー付固定部２２、２２ａの中央部に突設した軸杆１２を前記ペダル固定部２６、２６ａの孔部２７に嵌挿したパイプ体２８内に挿入すると、前記パイプ体２８の下方部が若干飛出している分だけ高くなって両体間に若干の間隙部３４ａが形成される。
【００５０】
しかる後前記ネジ３２を前記小孔３０に挿入してやると、前記ネジ３２がパイプ体２８の側壁部２８ａに形成の螺孔に螺入し、次いで窓孔ｍ内を通過して前記側壁部２８ａに形成の螺孔に螺入し、前記ストッパー付固定部２２、２２ａと前記ペダル固定部２６、２６ａとが接続される。そして固定しているストッパー付固定部２２、２２ａに対し前記窓孔ｍの切欠された角度の範囲内で回動する。前記回動は前記ネジ３１によって回転が阻止される。また前記回動角度は約３０〜４０度であり、しかし前記回転角度は限定的でない。
【００５１】
さらに本考案は前記ストッパー付固定部２２、２２ａに形成の貫通孔２５と前記ペダル固定部２６、２６ａに形成の孔部２７を合致させ、前記貫通孔２５から接続体３５を螺入すると、孔部３３にまで螺入する。その結果前記両方の固定部２２、２２ａ、２６、２６ａが固定される。
【００５２】
３６は運動の状況を知らせるカウンターの数字が表示する表示部３７を有する電池付カウンターであり、前記の脚部１ａに取着する。３８はカウンター３６が作動するボタンである。３９はコード、４０は前記支承アーム１５、１５ａ等の中央部を被覆するカバー、４１は使用者、４２はマットである。
【００５３】
さらに本考案は、単に使用者４１が足踏み運動のステッパーのみを行いたいときは、前記接続体３５を螺着して前記両体２２、２２ａ、２６、２６ａを固定状態にする。
【００５４】
しかしツイスト運動をしたいときは、前記接続体３５を取外してやる。前記の取り外しによって、両ペダルｐ、ｐが回動する。そして前記ペダルｐ、ｐ上に使用者４１の両足を乗せ、ゆっくりと左右交互にステップを踏んでやる。その際下に踏みつけた足と反対方向に使用者４１の上半身をひねってやるとツイスト運動が容易に付加される。
【図面の簡単な説明】
【００５５】
【図１】本考案ツイストステッパーの斜視図である。
【００５６】
【図２】同ステッパーの左側面図である。
【００５７】
【図３】同ステッパーの要部の拡大斜視図である。
【００５８】
【図４】同ステッパーの要部の一部切欠拡大斜視図である。
【００５９】
【図５】同ツイストステッパーのペダルの左方向に回転することを示す一部切欠平面図である。
【００６０】
【図６】ペダルが図５のステッパーと反対方向に回転する状態を示す一部切欠平面図である。
【００６１】
【図７】同ツイストステッパーの底面部である。
【００６２】
【図８】同ツイストステッパーの正面図である。
【００６３】
【図９】同ステッパーの高さ調節のため要部の一部切欠拡大正面図である。
【００６４】
【図１０】図８と関連するステッパーの高さ調節をする調節子の動きを示すステッパーと同要部の一部切欠拡大正面図である。
【００６５】
【図１１】図９の調節子を所定の位置に決めたときのステッパーと同要部の一部切欠拡大正面図である。
【００６６】
【図１２】同ステッパーをマット上におき使用する斜視図である。
【００６７】
【図１３】ツイスト運動をしている使用者とステッパーの斜視図である。
【００６８】
【図１４】ツイスト運動の回転軌跡を示す軌跡図である。
【符号の説明】
【００６９】
Ａ              ツイストステッパー
ｐ              ペダル
１、１ａ        脚部
ｍ              窓孔
２、２ａ        中央部
３              接続部
４、５、６、７  端部
８、８ａ        シリンダー
９、９ａ        下端部
１０            前側壁部
１１            後側壁部
１２            軸杆
１３、１３ａ    下方軸部
１４、１４ａ    上方軸部
１５、１５ａ    支承アーム
１６、１６ａ    調節杆
１７            調節孔
１８、１８ａ    脚部
１８ｃ、１８ｄ  接続具
１８ｅ          調節子
１９、１９ａ    下方接続杆
１９ｃ          接続具
２０、２０ａ    上方接続杆
２１、２１ａ    ストッパー
２２、２２ａ    ストッパー付固定部
２２ｃ          間隙部
２２ｄ          支持部
２２ｅ          支持部
２２ｆ          間隙部
２３、２３ａ    接続杆
２４、２４ａ    接続部
２５            螺孔
２５ａ          貫通孔
２６、２６ａ    ペダル固定部
２７            孔部
２８            パイプ体
２８ａ          側壁部
２９            底面部
３０            小孔
３１            内側面部
３２            ネジ
３３            小孔
３４            底面部
３４ａ          間隙部
３５            接続体
３６            カウンター
３７            表示部
３８            ボタン
３９            コード
４０            カバー
４１            使用者
４２            マット
【図１】
0003113950.tif 000004
【図２】
0003113950.tif 000005
【図３】
0003113950.tif 000006
【図４】
0003113950.tif 000007
【図５】
0003113950.tif 000008
【図６】
0003113950.tif 000009
【図７】
0003113950.tif 000010
【図８】
0003113950.tif 000011
【図９】
0003113950.tif 000012
【図１０】
0003113950.tif 000013
【図１１】
0003113950.tif 000014
【図１２】
0003113950.tif 000015
【図１３】
0003113950.tif 000016
【図１４】
0003113950.tif 000017